(57)【要約】一実施形態では、ブロードキャスト・グループ中の各ユーザ機器に対して、専用チャネル（例えばコーデッド・コンポジット・トランスポート・チャネル）が、第１の拡散符号および第２の拡散符号に基づいて構成される。同じ第１の拡散符号が、ブロードキャスト・グループ中の各ユーザ機器に割り当てられ、第２の拡散符号は、ブロードキャスト・グループ中の各ユーザ機器に一意に割り当てられる。別の実施形態では、ユーザ機器のブロードキャスト・グループ中の各ユーザ機器に対して、トランスポート・フォーマット・コンビネーション・セットが生成される。各トランスポート・フォーマット・コンビネーション・セットは、関連するユーザ機器についての有効なトランスポート・フォーマットを示し、各トランスポート・フォーマット・コンビネーション・セットは、専用チャネルを介してユーザ機器のブロードキャスト・グループに選択的にブロードキャストおよびユニキャストするのをサポートするように構成される。
2010515294.tif 000002
【特許請求の範囲】
【請求項１】
専用チャネルを介して情報のブロードキャストおよびユニキャストを提供する方法であって、
ブロードキャスト・グループ中の各ユーザ機器に対して第１の拡散符号および第２の拡散符号に基づいて専用チャネルを構成するステップを含み、前記ブロードキャスト・グループ中の各ユーザ機器に割り当てられる前記第１の拡散符号は同じ拡散符号であり、前記第２の拡散符号は前記ブロードキャスト・グループ中の各ユーザ機器に一意に割り当てられる方法。
【請求項２】
各ユーザ機器の前記専用チャネルを介して同じブロードキャスト情報を送信することにより、情報をブロードキャストするステップをさらに含む、請求項１に記載の方法。
【請求項３】
前記ブロードキャスト・グループ中の選択されたユーザ機器の前記専用チャネルのみを介してユニキャスト情報を送信し、前記ブロードキャスト・グループ中の選択されないユーザ機器の前記専用チャネルを介して復号不可能な情報を送信することにより、前記選択されたユーザ機器に情報をユニキャストするステップをさらに含む、請求項１に記載の方法。
【請求項４】
前記ブロードキャスト・グループ中の選択されたユーザ機器の前記専用チャネルのみを介してユニキャスト情報を送信し、選択されないユーザ機器の前記専用チャネルを介して無効なトランスポート・フォーマット・インジケータを送信することにより、前記選択されたユーザ機器に情報をユニキャストするステップをさらに含む、請求項１に記載の方法。
【請求項５】
専用チャネルを介して情報のブロードキャストおよびユニキャストを提供する方法であって、
ユーザ機器のブロードキャスト・グループ中の各ユーザ機器に対してトランスポート・フォーマット・コンビネーション・セットを生成するステップを含み、各トランスポート・フォーマット・コンビネーション・セットは、前記関連するユーザ機器についての有効なトランスポート・フォーマットを示し、各トランスポート・フォーマット・コンビネーション・セットは、専用チャネルを介してユーザ機器の前記ブロードキャスト・グループに選択的にブロードキャストおよびユニキャストするのをサポートするように構成された方法。
【請求項６】
前記生成するステップは、
各トランスポート・フォーマット・コンビネーション・セットのブロードキャスト部分中の同じトランスポート・フォーマット・インジケータが、同じトランスポート・フォーマットを示すように、各トランスポート・フォーマット・コンビネーション・セットの前記ブロードキャスト部分を構成するステップと、
各トランスポート・フォーマット・コンビネーション・セットが、前記ブロードキャスト・グループ中の前記ユーザ機器の１つと関連付けられて、前記関連付けられたユーザ機器へのユニキャストを可能にするように、各トランスポート・フォーマット・コンビネーション・セットのユニキャスト部分を構成するステップとを含む、請求項５に記載の方法。
【請求項７】
ブロードキャスト部分を構成する前記ステップは、
データの送信を可能にするトランスポート・フォーマットを示す複数のトランスポート・フォーマット・インジケータを含むように、各トランスポート・フォーマット・コンビネーション・セットを構成するステップを含む、請求項６に記載の方法。
【請求項８】
ブロードキャスト部分を構成する前記ステップは、
データ送信を可能にしないトランスポート・フォーマットを示す少なくとも１つのトランスポート・フォーマット・インジケータを含むように、各トランスポート・フォーマット・コンビネーション・セットを構成するステップを含む、請求項６に記載の方法。
【請求項９】
各トランスポート・フォーマット・コンビネーション・セットの前記ユニキャスト部分は、前記ブロードキャスト・グループ中の各ユーザ機器についてのトランスポート・フォーマット・インジケータを含むように構成され、特定のユーザ機器についての前記トランスポート・フォーマット・インジケータは、前記トランスポート・フォーマット・インジケータが前記特定のユーザ機器に関連する前記トランスポート・フォーマット・コンビネーション・セット中にある場合には、データの送信を可能にするトランスポート・フォーマットを示し、前記特定のユーザ機器についての前記トランスポート・フォーマット・インジケータは、前記トランスポート・フォーマット・インジケータが前記特定のユーザ機器に関連しない前記トランスポート・フォーマット・コンビネーション・セットの１つの中にある場合には、データの送信を可能にしないトランスポート・フォーマットを示す、請求項６に記載の方法。
【請求項１０】
各トランスポート・フォーマット・コンビネーション・セットの前記ユニキャスト部分は、前記ブロードキャスト・グループ中の各ユーザ機器についてのトランスポート・フォーマット・インジケータを含むように構成され、特定のユーザ機器についての前記トランスポート・フォーマット・インジケータは、前記トランスポート・フォーマット・インジケータが前記特定のユーザ機器に関連する前記トランスポート・フォーマット・コンビネーション・セット中にある場合には、データの送信を可能にするトランスポート・フォーマットを示し、前記特定のユーザ機器についての前記トランスポート・フォーマット・インジケータは、前記特定のユーザ機器に関連する前記トランスポート・フォーマット・コンビネーション・セット中にのみ存在する、請求項６に記載の方法。
【発明の詳細な説明】
【背景技術】
【０００１】
ユニバーサル・モバイル・テレコミュニケーションズ・システムＵＭＴＳは、第３世代（３Ｇ）携帯電話技術の１つである。しかし、ＵＭＴＳは、専用チャネルを介して、すなわち基地局（ノードＢ）および移動局（ユーザ機器ＥＵ）からの通信フローを介して情報をブロードキャストすることができないという点で、制限を有する。
【０００２】
図１は、本発明の例示的な実施形態を適用することのできるＵＭＴＳネットワークの図である。図示のように、所与の領域（セル）にわたって分散した複数のノードＢ１０が、ＵＥと通信する。ノードＢ１０はまた、ベース・ユーティライゼーション・インタフェース（ｌｕｂ）によって無線ネットワーク・コントローラＲＮＣ２０ともリンクされる。ＲＮＣ２０は、ネットワーク・ユーティライゼーション・インタフェース（ｌｕｒ）によって相互にリンクさせることができる。ＲＮＣ２０およびノードＢ１０は、ＵＭＴＳ地上無線アクセス・ネットワークＵＴＲＡＮを形成する。ＵＭＴＳスイッチ３０が、ユーティライゼーション・インタフェース（ｌｕ）によってＲＮＣ２０に接続され、また、コア・ネットワーク５０にも接続される。ＵＭＴＳの要素の機能および働きは周知であり、したがってその詳細は省略する。
【０００３】
ブロードキャスト・データ送信の扱いは、ＵＭＴＳなどのワイヤレス通信システムにおいて発生しつつある懸念であった。一般に、ブロードキャスト・データ送信は、ノードＢのセル中にある複数のＵＥへの同時送信を必要とするオーディオおよび／またはビデオ・ブロードキャスト、ならびに／あるいはデータ・サービスを意味する。ブロードキャスト・データ送信は、そのセル中の利用可能な帯域幅の主要部分を必要とする。したがって、このようなブロードキャスト・データがｎ個の個別ストリーム中でｎ個のＵＥに送信され、ｎ個の個別ストリームのそれぞれがプライベート専用チャネルを介して送信された場合、ワイヤレス媒体は、ｎ個のＵＥによって同時に受信できる単一送信を用いた場合と比較して、非効率的に使用されることになる。すなわち、現在、専用チャネルを使用して情報をブロードキャストするのは不可能であると考えられている。
【０００４】
その代わり、ＵＭＴＳでは、ＵＥは、ノードＢからフォワード・アクセス・チャネルＦＡＣＨ上でブロードキャスト情報を受信することができる。ＦＡＣＨチャネルはブロードキャスト・チャネルだが、このチャネルは電力制御されない。ＦＡＣＨによって使用される電力の量を低減するのに使用することのできる、ＵＥからのフィードバックはない。電力を多く使用し過ぎると、同じノードＢまたは他の場所からの他の送信との干渉が増大するので、非効率的な送信が生じる。
【先行技術文献】
【非特許文献】
【０００５】
【非特許文献１】世代パートナーシップ・プロジェクト（３ＧＰＰ  ２５．２１２）
【非特許文献２】３ＧＰＰ  ２５．２１１
【発明の概要】
【発明が解決しようとする課題】
【０００６】
本発明は、専用チャネルを介して情報のブロードキャストおよびユニキャストを提供する方法に関する。
【課題を解決するための手段】
【０００７】
一実施形態では、ブロードキャスト・グループ中の各ユーザ機器に対して、専用チャネル（例えばコーデッド・コンポジット・トランスポート・チャネル）が、第１の拡散符号および第２の拡散符号に基づいて構成される。同じ第１の拡散符号が、ブロードキャスト・グループ中の各ユーザ機器に割り当てられ、第２の拡散符号は、ブロードキャスト・グループ中の各ユーザ機器に一意に割り当てられる。
【０００８】
この実施形態によれば、各ユーザ機器の専用チャネルを介して、すなわち１つの共有拡散符合を介して同じブロードキャスト情報を送信することにより、情報をブロードキャストすることができ、各ＵＥの個別の第２の各拡散を介して、情報を複製することができる。
【０００９】
またこの実施形態によれば、選択されたユーザ機器の専用チャネルのみを介してユニキャスト情報を送信し、ブロードキャスト・グループ中の選択されないユーザ機器の専用チャネルを介して復号不可能な情報を送信することにより、ブロードキャスト・グループ中の選択されたユーザ機器に情報をユニキャストすることができる。すなわち、１つの共有拡散符号は全てのユーザにブロードキャストされ、単一の第２の拡散符号のみがユニキャスト・データに使用される。意図されたＵＥのみが情報を復号することができる。
【００１０】
別法として、この実施形態によれば、選択されたユーザ機器の専用チャネルのみを介してユニキャスト情報を送信し、選択されないユーザ機器の専用チャネルを介して無効なトランスポート・フォーマット・インジケータを送信することにより、ブロードキャスト・グループ中の選択されたユーザ機器に情報をユニキャストすることができる。選択されないユーザ機器は、トランスポート・フォーマットに関連する符号化詳細を通知されていないため、トランスポート・フォーマット・インジケータを無効として扱う。
【００１１】
別の実施形態では、ユーザ機器のブロードキャスト・グループ中の各ユーザ機器に対して、トランスポート・フォーマット・コンビネーション・セットが生成される。各トランスポート・フォーマット・コンビネーション・セットは、関連するユーザ機器についての有効なトランスポート・フォーマットを示し、各トランスポート・フォーマット・コンビネーション・セットは、専用チャネルを介してユーザ機器のブロードキャスト・グループに選択的にブロードキャストおよびユニキャストするのをサポートするように構成される。
【００１２】
例えば、生成することは、各トランスポート・フォーマット・コンビネーション・セットのブロードキャスト部分およびユニキャスト部分を構成することを含むことができる。ブロードキャスト部分は、各トランスポート・フォーマット・コンビネーション・セットのブロードキャスト部分中の同じトランスポート・フォーマット・インジケータが、同じトランスポート・フォーマットを示すように構成することができる。ユニキャスト部分は、各トランスポート・フォーマット・コンビネーション・セットが、ブロードキャスト・グループ中のユーザ機器の１つと関連付けられて、関連付けられたユーザ機器へのユニキャストを可能にするように構成することができる。
【００１３】
一代替形態によれば、各トランスポート・フォーマット・コンビネーション・セットのユニキャスト部分は、ブロードキャスト・グループ中の各ユーザ機器についてのトランスポート・フォーマット・インジケータを含むように構成される。特定のユーザ機器についてのトランスポート・フォーマット・インジケータは、このトランスポート・フォーマット・インジケータがこの特定のユーザ機器に関連するトランスポート・フォーマット・コンビネーション・セット中にある場合には、データの送信を可能にするトランスポート・フォーマットを示す。また、特定のユーザ機器についてのトランスポート・フォーマット・インジケータは、このトランスポート・フォーマット・インジケータがこの特定のユーザ機器に関連しないトランスポート・フォーマット・コンビネーション・セットの１つの中にある場合には、データの送信を可能にしないトランスポート・フォーマットを示す。
【００１４】
別の代替形態では、各トランスポート・フォーマット・コンビネーション・セットのユニキャスト部分は、ブロードキャスト・グループ中の各ユーザ機器についてのトランスポート・フォーマット・インジケータを含むように構成される。特定のユーザ機器についてのトランスポート・フォーマット・インジケータは、このトランスポート・フォーマット・インジケータがこの特定のユーザ機器に関連するトランスポート・フォーマット・コンビネーション・セット中にある場合には、データの送信を可能にするトランスポート・フォーマットを示す。また、特定のユーザ機器についてのトランスポート・フォーマット・インジケータは、この特定のユーザ機器に関連するトランスポート・フォーマット・コンビネーション・セット中にのみ存在する。
【００１５】
理解されるであろうが、選択されたユーザ機器に情報をユニキャストすることは、このユーザ機器に関連するトランスポート・フォーマット・インジケータを使用して実施される。また、ブロードキャスト・グループに情報をブロードキャストすることは、トランスポート・フォーマット・コンビネーション・セットのブロードキャスト部分中のトランスポート・フォーマット・インジケータの１つを使用して実施される。
【００１６】
本発明の例示的な実施形態は、以下に提供する詳細な説明および添付の図面から、より完全に理解されるようになるであろう。これらの詳細な説明および図面は、実例として提供するに過ぎず、したがって本発明の例示的な実施形態を限定するものではない。
【図面の簡単な説明】
【００１７】
【図１】ＵＭＴＳネットワークの図である。
【図２】移動通信システムにおけるダウンリンク専用物理チャネルの構造を示す図である。
【図３】本発明の第１の実施形態による、専用チャネルを介して情報をブロードキャストする方法のフローチャートを示す図である。
【図４】情報の選択的なブロードキャストおよびユニキャストを可能にするようにトランスポート・フォーマット・コンビネーション・セットを構成する一実施形態を示す図である。
【図５】本発明の一実施形態による選択的なブロードキャスト／ユニキャスト・プロセスを示すフローチャートである。
【図６】本発明による、ブロードキャストまたはユニキャストに応答した、ＵＥにおける例示的な動作を示すフローチャートである。
【発明を実施するための形態】
【００１８】
本発明の例示的な実施形態をＵＭＴＳに関して述べるが、本発明を他の遠隔通信システムに適用してもよいことは、当業者なら理解するであろう。
【００１９】
上に論じたように、ＵＥがノードＢからフォワード・アクセス・チャネルＦＡＣＨ上でブロードキャスト情報を受信できることは周知である。ＦＡＣＨチャネルはブロードキャスト・チャネルだが、このチャネルは電力制御されない。ＦＡＣＨによって使用される電力の量を低減するのに使用することのできる、ユーザ機器ＵＥからのフィードバックはない。電力を多く使用し過ぎると、同じノードＢまたは他の場所からの他の送信との干渉が増大するので、非効率的な送信が生じる。
【００２０】
しかし、専用チャネルは電力制御され、したがって、過剰な干渉を生じることなく大量のデータを送信する見込みがより大きい。例えば、ダウンリンク専用チャネルに対する内部ループ電力制御は、ＵＥがアップリンク専用チャネル中で電力制御ビットを送信することによって容易になる。
【００２１】
周知のように、ＵＭＴＳでは、専用チャネルは専用物理チャネルＤＰＣＨとして知られ、専用物理制御チャネルＤＰＣＣＨおよび専用物理データ制御チャネルＤＰＤＣＨを含むことができる。ＤＰＤＣＨは、ペイロード（例えばＩＰデータ、音声など）ならびにより高レイヤのシグナリング（無線リソース制御ＲＲＣおよび非アクセス層ＮＡＳシグナリング）がＵＥからノードＢにアップリンク送信される際の物理チャネルである。ＤＰＣＣＨは、シグナリングがＵＥからノードＢに、およびその逆に送信される際の物理制御チャネルである。ＤＰＣＣＨは、ＤＰＤＣＨに関する制御情報を搬送するのに使用される。すなわち、ＤＰＣＣＨは、トランスポート・フォーマット・コンビネーション・インジケータＴＦＣＩ、電力制御ビット、および、ＤＰＤＣＨを介したデータ送信を制御するための他のビットを含む。ＴＦＣＩは、ビットのフォーマットを、ＤＰＤＣＨ上にマッピングされる１組のレイヤ２論理ベアラについての無線フレーム中で記述する。
【００２２】
さらに周知のように、レイヤ２では、論理データおよび制御ベアラが、ＵＥと無線アクセス・ネットワークＲＡＮとの間で維持される。ＩＰサービスの場合、レイヤ２は、専用トラフィック・チャネルＤＴＣＨおよび３つまたは４つの専用制御チャネルＤＣＣＨを提供する。ＤＴＣＨは、ユーザ情報を転送するために１つのＵＥ専用に確保されたチャネルである。ＤＣＣＨは、ネットワークとＵＥとの間のシグナリングに使用される。ＤＴＣＨとＤＣＣＨとは、同じＤＰＤＣＨに多重化され、ＤＰＣＨを介して共に送信される。受信時、受信側は、まずＴＦＣＩを復号して、どのようにＤＰＤＣＨを復号するかを確認する。レイヤ２の論理ベアラからＤＰＣＨへのマッピングは、トランスポート・チャネルＴｒＣＨおよびコンバインド・コーデッド（または「コーデッド・コンポジット」）トランスポート・チャネルＣＣＴｒＣＨを介して行われる。
【００２３】
アドレッシングは専用チャネルによって暗黙的であり、制御およびデータ・メッセージ中のアドレッシング情報によって供給されるのではない。したがって、制御およびデータ・メッセージは、特定のＵＥの専用チャネルを使用することのみによって、この特定のＵＥに送達することができる。専用チャネルがブロードキャスト・チャネルとして使用される場合、ＤＣＣＨ中で符号化された全てのメッセージは、たとえＤＣＣＨ制御メッセージが特定のＵＥのみに意図されていたとしても、ブロードキャスト・セット中の参与する全てのＵＥに送信されるのは避けられない。
【００２４】
ＵＭＴＳでは、独立した各データ・ストリームがＴｒＣＨを形成することは周知である。１組のＴｒＣＨが、１つのＣＣＴｒＣＨを形成することができる。一般に、現在のＵＭＴＳ  ＵＥは、１つのＣＣＴｒＣＨにつき１つの物理チャネル（拡散チャネル）だけしかサポートすることができず、一度に単一のＣＣＴｒＣＨだけしか復号することができない。本発明の実施形態は、一部には、ＣＣＴｒＣＨ中でアドレッシング情報を供給して、ブロードキャストおよび制御情報の意図された宛先を示すことにより、ＤＰＣＨを使用したブロードキャストをサポートする。これらの実施形態については後でより詳細に述べる。
【００２５】
一般に、専用物理チャネルＤＰＣＨは、直交符号化される１つまたは複数の物理無線チャネルから確立できることは周知である。またＵＭＴＳ、例えば広帯域符号分割多元接続Ｗ−ＣＤＭＡのＵＭＴＳでは、空中を介して送信される実際のデータ・ストリームは、特定の拡散長を有するＣＤＭＡスペクトル拡散の拡散符号を掛けたビット・ストリームである。Ｗ−ＣＤＭＡ内では、拡散長は一般に４から５１２までの間である。拡散符号が長いほど、この拡散符号内で割り振られる帯域幅は狭い。トランスポート・チャネルＴｒＣＨおよびコンバインド・コーデッド・トランスポート・チャネルＣＣＴｒＣＨ上にマッピングされる一般的な専用制御チャネルＤＣＣＨ制御ベアラは、長さ２５６の拡散符号を伴う物理無線チャネルを使用する。データ・サービス、例えばＩＰ通信が開始されると、拡散長の異なる追加の物理チャネルをＣＣＴｒＣＨに関連付けて、結合物理無線チャネルの容量を拡大することができる。あるいは、ＤＣＣＨのための長さ２５６の拡散符号を放棄して、より短い拡散符号のチャネル、例えばより帯域幅の広いチャネルで置き換えることもできる。
【００２６】
図２に、移動通信システムにおけるダウンリンク専用物理チャネルの構造を示す。例えば、ダウンリンクＤＰＣＨの各フレームは、Ｓｌｏｔ＃０〜Ｓｌｏｔ＃１４の１５個のスロットを含む。各スロットは、ノードＢからＵＥに上位レイヤ・データを送信するためのＤＰＤＣＨと、物理レイヤ制御信号を送信するためのＤＰＣＣＨとを含む。ＤＰＣＣＨはまた、ＵＥの送信電力を制御するためのトランスポート電力制御ＴＰＣシンボルと、ＴＦＣＩシンボルと、パイロット・シンボルとを含むこともできる。図２にさらに示すように、ダウンリンクＤＰＣＨの１フレームを構成するＳｌｏｔ＃１〜Ｓｌｏｔ＃１４の各スロットは、２５６０個のチップを含む。第１のデータ・シンボルＤａｔａ１および第２のデータ・シンボルＤａｔａ２は、ＤＰＤＣＨを介してノードＢからＵＥに送信される上位レイヤ・データを表し、ＴＰＣシンボルは、ノードＢによってＵＥの送信電力を制御するための情報を表す。ＴＦＣＩシンボルは、現在の１フレーム（＝１０ｍｓ）について送信されるダウンリンク・チャネルに使用されるトランスポート・フォーマット・コンビネーションＴＦＣを示す。また、パイロット・シンボルは、ＵＥによってＤＰＣＨの送信電力を制御するための基準を表す。ＴＦＣＩに含まれる情報は、動的部分と半静的部分とに分類することができる。動的部分は、トランスポート・ブロック・サイズＴＢＳ情報およびトランスポート・ブロック・セット・サイズＴＢＳＳ情報を含む。半静的部分は、送信時間間隔ＴＴＩ情報、チャネル符号化方式情報、符号化レート情報、静的レート・マッチング情報などを含む。したがって、ＴＦＣＩは、１フレームにつき送信されるチャネル中のトランスポート・ブロックＴＢの数を示し、各トランスポート・ブロック中で使用されるＴＰＣに一意の番号を割り当てる。
【００２７】
図３に、本発明の第１の実施形態による、専用チャネルを介して情報をブロードキャストする方法のフローチャートを示す。図示のように、ステップＳ２で、セル中で複数のユーザ機器ＵＥへのブロードキャストを達成すると同時に、ＤＣＣＨを介して制御メッセージについて個別のＵＥを宛先とするために、ブロードキャスト拡散符号および個別拡散符号によって個別のＣＣＴｒＣＨを各ＵＥに提供することができる。全てのＵＥは、ブロードキャスト拡散符号を共有することができるが、制御目的で制御拡散符号／物理チャネルが個別に割り当てられる。これには、１つのＣＣＴｒＣＨにつき複数の物理チャネルを使用する必要があることは理解されるであろう。このようにすると、１つのＵＥに対するＣＣＴｒＣＨは、そのＵＥの専用チャネルである。
【００２８】
ＵＭＴＳチャネル符号化標準（世代パートナーシップ・プロジェクト（３ＧＰＰ  ２５．２１２））には、第２のインタリーバおよび物理チャネル・マッパにより、ＣＣＴｒＣＨの一部である全てのチャネルにわたってデータが拡散することが開示されている。制御チャネルのみに意図された拡散符号はデータ分配によって割り振ることができるが、ブロードキャスト・データは制御拡散符号上となり、制御データはブロードキャスト拡散符号中となる。
【００２９】
次にステップＳ４で、ノードＢは、ＵＥのブロードキャスト・グループ全体にブロードキャストするための情報を受け取るか、または、単一の意図されたＵＥにユニキャストするための情報を受け取る。ブロードキャストの場合は、ステップＳ６で、ブロードキャスト・グループ中のＵＥに対する個別のＣＣＴｒＣＨが、全く同じ情報を搬送するように確立される。したがって、ＵＥごとの物理チャネルによってＣＣＴｒＣＨは一意または専用ではあるものの、符号化後、ＵＥに送信される情報は同一である。これは、ＵＥごとのＴｒＣＨ全てが確実に同じ情報を保持するようにすることによって達成することができる。
【００３０】
ステップＳ４に戻り、ユニキャスト送信が望まれる場合は、ステップＳ８で、意図されたＵＥに向けたＣＣＴｒＣＨのみが、有効かつ復号可能なデータを含むことになる。ブロードキャスト・セットの他の全てのＵＥについては、送信データは、データが復号不可能であってデータを復号しようとしたときにＣＲＣエラーになるように、構成される。このことは、特定の（意図された）ＵＥに向けたＴｒＣＨがデータを保持し、他のＵＥのＴｒＣＨはデータを保持しないことを意味する。このようにすると、宛先とされたＵＥのみがデータを受け取る。別法としてまたは追加で、ステップＳ８’で示すように、メッセージの復号を防止するために、無効なトランスポート・フォーマット・コンビネーション・インジケータＴＦＣＩをブロードキャスト・セットの他のメンバに送信してもよい。
【００３１】
ＤＰＣＣＨの電力制御ビットは、マルチコードＣＣＴｒＣＨ中の第１の物理チャネル上にマッピングされるので（３ＧＰＰ  ２５．２１１）、アップリンク電力は、ブロードキャスト・セットの各ＵＥに個別の電力制御ビットを独立して送信することによって制御することができる。
【００３２】
本発明の一実施形態によれば、ブロードキャスト・チャネルのＵＥごとの部分のために狭い物理チャネルを割り当て、ブロードキャスト部分のために広い物理チャネルを割り当てることができる。これにより、ワイヤレス・ダウンリンク・チャネルの効率的な使用が可能になる。別法として、ブロードキャスト・チャネルは、複数の物理チャネルから並列で生み出すこともできる。例えば、帯域幅がｂであるｎ個の物理チャネルは、帯域幅がｎ×ｂである単一の物理チャネルと同じ帯域幅を有することができる。
【００３３】
次に、専用チャネルを使用してブロードキャストする別の例示的な実施形態について述べる。この実施形態は、単一の物理チャネルおよび単一のＣＣＴｒＣＨのみを使用してデータをブロードキャストするときであっても、ブロードキャストを可能にする。
【００３４】
この実施形態では、ＣＣＴｒＣＨに関連するトランスポート・フォーマットを使用して、ＵＥアドレッシング情報を含める。単一のＵＥにデータを送信するには、ＵＭＴＳプロトコル・スタックが、特定のサイズおよび数のトランスポート・ブロックの形でデータを提供すればよい。一括して、ＤＣＣＨベアラはＴｒＣＨにフィードし、ＤＴＣＨは、レイヤ１にある別個のＴｒＣＨにフィードする（３ＧＰＰ  ２５．２１２）。チャネルを符号化する間、複数のＴｒＣＨがＣＣＴｒＣＨ中で結合され、次いでこれらは１つまたは複数の物理チャネルにわたって拡散される。
【００３５】
レイヤ１は、各ＴｒＣＨ中で利用可能なデータの量を考慮して、複数のＴｒＣＨを１つのＣＣＴｒＣＨに結合する。各ＴｒＣＨは、所与のサイズの複数のトランスポート・ブロックを表す。次いでレイヤ１は、ＣＣＴｒＣＨに関連するトランスポート・フォーマット・コンビネーション・セットＴＦＣＳに基づいて、ＣＣＴｒＣＨを介した送信のモードを選択する。レイヤ１は、トランスポート・フォーマット・コンビネーション・インジケータＴＦＣＩによって、ＣＣＴｒＣＨ上のデータのレイアウトを表す。ＴＦＣＩは、ＣＣＴｒＣＨに組み込まれたＴｒＣＨごとにトランスポート・ブロックの数およびサイズを記述する、ＣＣＴｒＣＨごとの一意の識別子である。
【００３６】
セル中のブロードキャスト・サービスおよびユニキャスト・サービスは、トランスポート・フォーマット・コンビネーションをＵＥに割り当てることによって実施することができる。実際上は、ブロードキャスト情報がＣＣＴｒＣＨチャネルを介して送信されたときにはブロードキャスト・グループ中のＵＥが情報を復号することができ、制御メッセージがＣＣＴｒＣＨを介して送信されたときには単一のＵＥのみがメッセージを復号することができるように、ＴＦＣＩ空間が割り振られる。すなわち、ＲＮＣは、ブロードキャスト・グループ中の各ＵＥのＴＦＣＳを、ブロードキャスト部分とユニキャスト部分とを含むように構成する。
【００３７】
図４に、情報の選択的なブロードキャストおよびユニキャストを可能にするようにＴＦＣＳを構成する一実施形態を示す。図示のように、ステップＳ１０で、ノードＢは、各ＵＥのＴＦＣＳのブロードキャスト部分を構成する。各ＴＦＣＳ中のブロードキャスト部分は同じＴＦＣＩを有することになり、異なるＴＦＣＳ中の同じＴＦＣＩは同じトランスポート・フォーマットＴＦを有することになる。ＴＦは属性の組合せを定義するが、属性は、エラー保護、タイミング、インタリービング、ビットレート、物理層上へのマッピングなどを含むことができる。トランスポート・フォーマットのうちの少なくとも１つ（すなわちＴＦＣＩのうちの少なくとも１つ）が、データのトランスポートを可能にすることになる。ブロードキャスト部分はまた、「データなし」トランスポート・フォーマットを有する１つのＴＦＣＩを含むこともできる。すなわち、このＴＦＣＩは、データが送信されないことを示す。
【００３８】
表１を用いて、３つのＵＥ（例えばＵＥ（Ａ）、ＵＥ（Ｂ）、およびＵＥ（Ｃ））のブロードキャスト・グループにデータのブロードキャストおよびユニキャストを選択的に提供するためのＴＦＣＳを説明する。表１の例では、見出しＵＥ（Ａ）、ＵＥ（Ｂ）、ＵＥ（Ｃ）の下の各列は、そのＵＥのＴＦＣＳである。各ＴＦＣＳのブロードキャスト部分は、０、１、および２の番号が付いた３つのＴＦＣＩを含む。この実施形態では、３つのＴＦがブロードキャスト用に提供され、この３つのＴＦは、特定サイズＸのブロックを０、１、および２個送信することを示す。すなわち、「０」のＴＦＣＩは、「データなし」送信フォーマットを示す。
【００３９】
【表１】
2010515294.tif 000003
【００４０】
図４に戻り、ブロードキャスト部分を構成した後、ノードＢは、各ＴＦＣＳのユニキャスト部分を構成する。ここで、各ＴＦＣＳは、ＴＦＣＩが各ＵＥに関連し、その関連するＵＥのみによるデータ受信を許可するＴＦを有するように、構成される。第１の実施形態によれば、各ＵＥのＴＦＣＳのユニキャスト部分は同じＴＦＣＩを含むが、これらのＴＦＣＩは異なるトランスポート・フォーマットを有する。特に、そのＵＥに関連するＴＦＣＳ中のＴＦＣＩのトランスポート・フォーマットのみが、データ送信を示す。関連しないＵＥのＴＦＣＳ中の同じＴＦＣＩは、「データなし」トランスポート・フォーマットを有する。このユニキャスト部分構成方法が、表１に示されている。
【００４１】
表１に示すように、ＴＦＣＩ３はＵＥ（Ｃ）に関連し、ＴＦＣＩ４はＵＥ（Ｂ）に関連し、ＴＦＣＩ５はＵＥ（Ａ）に関連する。したがって、ＵＥ（Ｃ）のＴＦＣＳ中のＴＦＣＩ３のトランスポート・フォーマットは、特定サイズＹのブロック１つの送信を示す。対照的に、ＵＥ（Ａ）およびＵＥ（Ｂ）のＴＦＣＳ中の同じＴＦＣＩ３は、「データなし」トランスポート・フォーマットを示す。
【００４２】
一代替方法によれば、ユニキャスト送信用のＴＦＣＩは、１つのＵＥのみに割り当てられる。すなわち、あるＵＥのＴＦＣＩは、そのＵＥのＴＦＣＳ中だけにしか見られない。例えば、表１で、ＴＦＣＩ３は、表１に示すようにＵＥ（Ｃ）のＴＦＣＳ中に見られるが、ＵＥ（Ａ）またはＵＥ（Ｂ）のＴＦＣＳ中には見られないことになる。したがって、このＴＦＣＩは、ＵＥ（Ａ）およびＵＥ（Ｂ）によって無効として解釈されることになり、これらのＵＥはデータ送信を復号しないことになる。
【００４３】
表１を用いて要約すると、ブロードキャスト・チャネル上でデータを送信するには、レイヤ１は、ＴＦＣＩ０、１、２のうちの１つを選択する。これらのＴＦＣＩの意味は全てのＵＥにとって同じであり、したがって、全てのＵＥは同じようにしてブロードキャスト・データを復号することになる。ＵＥ（Ａ）のみにデータを送信するには、レイヤ１はＴＦＣＩ５を選択する。両方の割当て方式で、ＵＥ（Ａ）は、制御メッセージを認識して正しく復号することになる。第１の割当て方式では、ＵＥ（Ｂ）およびＵＥ（Ｃ）は、データを保持しないものとしてＴＦＣＩを認識し、したがって、ＵＥ（Ａ）に意図された制御パケットを解釈しないことになる。第２の割当て方式では、ＴＦＣＩがＵＥ（Ｂ）およびＵＥ（Ｃ）に割り当てられなかったため、ＵＥ（Ｂ）およびＵＥ（Ｃ）はＴＦＣＩを認識しないことになる。ＵＥ（Ｂ）およびＵＥ（Ｃ）は、ＵＥ（Ａ）に意図された制御データの復号ができないか、または復号を試みることすらしないことになる。
【００４４】
図５は、本発明の一実施形態による選択的なブロードキャスト／ユニキャスト・プロセスを示すフローチャートである。
【００４５】
最初に、図４の実施形態に従って構成されたＴＦＣＳを、ノードＢがすでに送信し、ＵＥがすでに受信していると仮定する。
【００４６】
図５に示すように、ノードＢ１０は、ステップＳ２０で、ブロードキャストまたはユニキャストに向けた情報が存在するかどうか判定する。あるいは、ブロードキャストまたはユニキャストに向けたデータがない場合もある。情報（例えばデータ・パケット）がブロードキャストに向けたものである場合は、ステップＳ３０で、ノードＢは、ブロードキャストＴＦＣＩのうちの１つを選択する。表１に関して説明したように、ブロック・サイズはＸまたは２Ｘとすることができる。したがって、ブロック・サイズＸが望まれる場合はＴＦＣＩ１を選択することができ、ブロック・サイズ２Ｘが望まれる場合は、ＴＦＣＩ２を選択することができる。
【００４７】
ステップＳ２０でブロードキャストまたはユニキャストに向けた情報が存在しない場合は、処理はステップＳ６０に進み、ＴＦＣＩ０が送信で使用される。
【００４８】
ノードＢ１０が特定のＵＥにユニキャストを送信したい場合、ノードＢ１０はまず、ステップＳ７０で、この特定のＵＥに割り当てられたＴＦＣＩを決定しなければならない。例えば、ノードＢは、表１などの表にアクセスして、このＵＥに関連するＴＦＣＩを決定することができる。特定のＴＦＣＩが決定されると、ノードＢ１０は、ステップＳ９０で、得られたＴＦＣＩを使用してこの特定のＵＥにユニキャストを送信する。
【００４９】
図６は、本発明による、ブロードキャストまたはユニキャストに応答した、ＵＥにおける例示的な動作を示すフローチャートである。図示のように、ステップＳ２００でＵＥがパケットを受信し、ステップＳ２１０で、ＵＥは、パケットがブロードキャストか、ユニキャストか、ノーキャストかを判定する。ここで、「ノーキャスト」とは、パケットが別のＵＥに宛てられていることを意味する。したがって、宛先とされなかったＵＥは、パケットを復号できないかまたは復号しない。
【００５０】
ＵＥは、送信におけるＴＦＣＩを調べることによってこの判定を行う。ＴＦＣＩがブロードキャストＴＦＣＩのものである場合は、パケットはブロードキャストであり、ステップＳ２２０でＵＥはパケットを復号する。
【００５１】
パケットが別のＵＥに宛てられたユニキャストである場合、宛先とされなかったＵＥは、ステップＳ２３０で、パケットを復号できないかまたは復号しない。想起されるように、ＵＥは、復号するデータがないと判定するか、またはＴＦＣＩが無効であると判定する。
【００５２】
パケットがこのＵＥに意図されたユニキャストである場合、このこともまた、送信におけるＴＦＣＩに基づいて認識される。次いでステップＳ２４０で、ＵＥはパケットを復号する。
【００５３】
以上に開示したように、各ＤＰＣＨは、内部ループ自動制御に関して真に双方向である。ダウンリンク（ブロードキャスト）チャネル電力を制御するために、ノードＢは、ブロードキャスト・グループの全てのメンバＵＥからのアップリンク電力制御ビットの集積を考慮することができる。特定のノードＢ電力制御アルゴリズムについては述べないが、ブロードキャスト・グループ中のいずれかのＵＥがより多くの電力を必要とすることをそのＵＥが示す限り電力を増大させるための、任意のアルゴリズムを使用することができ、あるいはアルゴリズムは、電力が実際に変更される前に一定数のＵＥが同じ電力ニーズ（増大／低減）を示すことを必要としてもよい。
【００５４】
以上、本発明の例示的な実施形態について述べたが、これらの実施形態を多くの方式で変更してもよいことは自明であろう。例えば、本発明の例示的な実装形態をＵＴＭＳに関して述べたが、本発明は他の遠隔通信システムにも適用可能であることは理解されるであろう。そのような変形は本発明からの逸脱と見なされることはなく、そのような修正は全て本発明の範囲内に含まれるものとする。
【図１】
2010515294.tif 000004
【図２】
2010515294.tif 000005
【図３】
2010515294.tif 000006
【図４】
2010515294.tif 000007
【図５】
2010515294.tif 000008
【図６】
2010515294.tif 000009
【国際調査報告】
2010515294.tif 000010
2010515294.tif 000011